(57)【特許請求の範囲】
【請求項１】
垂れ壁(Ｗ)の下に形成された開口部(Ａ)を開閉するアウトセット型ドアパネルであって、
開口部(Ａ)よりも大きな高さを有する略矩形平板状のドア本体(１２)と、
上記ドア本体(１２)の上下方向略全長に亘って設けられた採光窓(１４)と、
上記採光窓(１４)の上端部から少なくとも垂れ壁(Ｗ)の下端部(ｗ１)を越えた下方に亘って設けられ、単位面積当たりの可視光線透過率が下方に向けて漸次増大するグラデーション部(１６)とを具備する、
ことを特徴とするアウトセット型ドアパネル。
【請求項２】
請求項１のアウトセット型ドアパネルにおいて、
前記グラデーション部(１６)が、前記の採光窓(１４)の表面に彩色を施す網点(１８)の単位面積当たりの密度を変化させて形成されている、
ことを特徴とするアウトセット型ドアパネル。
【請求項３】
請求項１のアウトセット型ドアパネルにおいて、
前記グラデーション部(１６)が、前記の採光窓(１４)の表面に彩色を施す横縞模様(２０)の太さ及び間隔を変化させて形成されている、
ことを特徴とするアウトセット型ドアパネル。
【請求項４】
請求項１のアウトセット型ドアパネルにおいて、
前記グラデーション部(１６)が、前記の採光窓(１４)の表面に設けられ、光を散乱させる凸状又は凹状のシボ(２２)の単位面積当たりの密度を変化させて形成されている、
ことを特徴とするアウトセット型ドアパネル。
【発明の詳細な説明】
【技術分野】
【０００１】
本発明は、壁面の開口部よりも大きな高さを有するアウトセット型のドアパネルの改良に関する。
【背景技術】
【０００２】
近年、ドアパネルなどの室内建具は、天井までの高さを有する物が意匠上良いとされており、例えば、既設の開口部を工事せずに高さの高いドアパネルを設置する場合、当該開口部上部の垂れ壁を利用して取り付けるアウトセット型のドアパネルが用いられる。
ここで、開口部を開閉するドアパネルにおいては、例えば、下記の特許文献１に記載のように、上下方向の概ね全長に亘って採光窓を設けることが行なわれている。このような採光窓を設けることによって室内を明るくできるのみならず、ドアパネルをはさんで反対側の人の有無などを確認できるため、ドアの不意な開閉による事故を未然に防ぐことができ、安全性にも優れたものとなる。
【先行技術文献】
【特許文献】
【０００３】
【特許文献１】特開２０１３−２５６８１２号公報
【発明の概要】
【発明が解決しようとする課題】
【０００４】
しかしながら、上記の従来技術には、次のような問題があった。
すなわち、開口部上部の垂れ壁を利用して取り付けられるアウトセット型ドアパネルでは、ドアパネルを取り付けたアウトセット側から当該ドアパネルを看た場合、垂れ壁の下端と開口部との境目がはっきりと視認され、意匠上違和感を感じるようになる。このような意匠上の違和感は、美観を損なうだけでなく、生活者に対してある種のストレスを与えるようになる。
それゆえに、本発明の主たる課題は、採光性や安全性に優れるのみならず、意匠上の違和感をなくして生活者にストレスを与えることのないアウトセット型ドアパネルを提供することである。
【課題を解決するための手段】
【０００５】
上記の課題を達成するため、本発明は、例えば、図１から図３に示すように、垂れ壁Ｗの下に形成された開口部Ａを開閉するアウトセット型ドアパネル１０を次のように構成した。
開口部Ａよりも大きな高さを有する略矩形平板状のドア本体１２を備える。このドア本体１２の上下方向略全長に亘って採光窓１４が設けられる。そして、この採光窓１４の上端部から少なくとも垂れ壁Ｗの下端部ｗ１を越えた下方に亘って、単位面積当たりの可視光線透過率が下方に向けて漸次増大するグラデーション部１６が設けられる。
【０００６】
本発明は、次の作用を奏する。
ドア本体１２の上下方向略全長に亘って採光窓１４が設けられているので、室内を明るくできるのみならず、ドア本体１２をはさんで反対側の人の有無などを確認できて安全性にも優れたものとなる。
そして、この採光窓１４の上端部から少なくとも垂れ壁Ｗの下端部ｗ１を越えた下方に亘って上記グラデーション部１６が設けられているので、ドアパネル１０を取り付けたアウトセット側から当該ドアパネル１０を看た場合、垂れ壁Ｗの下端ｗ１と開口部Ａとの境目がはっきりと視認できないように暈して、意匠上違和感を感じないようにさせることができる。
【０００７】
本発明においては、前記グラデーション部１６を、前記の採光窓１４の表面に彩色を施す網点１８の単位面積当たりの密度を変化させて形成することが好ましい。
この場合、印刷等の手法を用いてグラデーション部１６を簡便に形成することができる。
【０００８】
また、本発明においては、前記グラデーション部１６を、前記の採光窓１４の表面に彩色を施す横縞模様２０の太さ及び間隔を変化させて形成することが好ましい。
この場合、上述のように印刷等の手法を用いてグラデーション部１６を簡便に形成することができるのに加え、グラデーション部１６の意匠性をより一層向上させることができる。
【０００９】
さらに、本発明においては、前記グラデーション部１６を、前記の採光窓１４の表面に設けられ、光を散乱させる凸状又は凹状のシボ２２の単位面積当たりの密度を変化させて形成するのが好ましい。
この場合、採光窓１４の採光性能(透光性)を犠牲にすることなく、意匠上の違和感を生じさせないようにすることができる。
【００１０】
そして、本発明は、後述する実施形態に記載された特有の構成を付加することが好ましい。
【発明の効果】
【００１１】
本発明によれば、採光性や安全性に優れるのみならず、意匠上の違和感をなくして生活者にストレスを与えることのないアウトセット型ドアパネルを提供することができる。
【図面の簡単な説明】
【００１２】
【図１】本発明におけるアウトセット型ドアパネルの設置状態の一例を示す説明図で、ドアパネルを取り付けたアウトセット側から当該ドアパネルを視認した図である。
【図２】本発明の一実施形態のアウトセット型ドアパネルの要部を示す斜視図である。
【図３】図２におけるα−α線要部拡大断面図である。
【図４】様々な態様のグラデーション部を示す説明図で、（ａ）は網点を用いたもの，（ｂ）は横縞模様を用いたもの，（ｃ）はシボを用いたものをそれぞれ表す。
【図５】この発明の他の実施形態のアウトセット型ドアパネルを示す正面図である。
【発明を実施するための形態】
【００１３】
以下、本発明の一実施形態を図１から図３によって説明する。
図１は、本発明におけるアウトセット型ドアパネル１０の設置状態の一例を示す説明図で、ドアパネル１０を取り付けたアウトセット側から当該ドアパネル１０を視認した図である。また、図２は、本実施形態のアウトセット型ドアパネル１０の要部を示す斜視図であり、図３は、図２におけるα−α線要部拡大断面図である。
これらの図が示すように、本発明のアウトセット型ドアパネル１０は、開口部Ａ上部の垂れ壁Ｗの天井Ｔ近くに設置されたレールＲに支持されて当該開口部Ａを開閉する引戸を構成するためのもので、ドア本体１２，採光窓１４及びグラデーション部１６により大略構成される。
【００１４】
ドア本体１２は、開口部Ａよりも大きな高さを有する(図１に示す実施形態では、床面Ｆから天井Ｔ近傍までの高さを有する)略矩形平板状の部材で、四周枠体の表裏両面に面材１２ａ(図３参照)を取着したフラッシュ構造のものが好適に用いられる。このドア本体１２の表面には、必要に応じて、合成樹脂化粧シート、化粧紙、突板などの化粧材１２ｂを粘着してもよいし、更にその上に合成樹脂塗料を塗布するようにしてもよい。
【００１５】
そして、このドア本体１２における幅方向の所定位置には、図３に示すように、採光窓１４を設けるため、左右一対の支柱１２ｃ，１２ｄがドア本体１２の高さ方向略全体に亘って立設されている。これら支柱１２ｃ，１２ｄの互いに対向する面には、後述する採光窓１４を形成する窓板１４ａを差し込むための凹条溝１２ｅ，１２fが、当該支柱１２ｃ，１２ｄの長手方向略全体に亘ってそれぞれ堀設されている。
【００１６】
なお、図１に示す実施形態では、上記の支柱１２ｃ，１２ｄがドア本体１２幅方向の戸当たり側に寄った位置に設けられているので、支柱１２ｃ，１２ｄ同士の対面する角部Ｃ１〜Ｃ４は、ドアを開閉する際の引手として利用することができる。尤も、必要であれば、開閉用のハンドル(取手)を別途設けるようにしてもよい。
【００１７】
採光窓１４は、透明や半透明等の透光性の材料、例えばガラスやアクリル樹脂などからなる窓板１４ａを、上述した支柱１２ｃ，１２ｄ間に配設して形成される。
この採光窓１４は、ドア本体１２の上下方向略全長に亘って設けられており、その上端部から少なくとも垂れ壁Ｗの下端部ｗ１を越えた下方に亘って上記グラデーション部１６が設けられる。
【００１８】
グラデーション部１６は、採光窓１４における単位面積当たりの可視光線透過率が下方に向けて漸次増大するように調節するためのものである。このグラデーション部１６は、例えば、図４（ａ）に示すように、採光窓１４の表面に彩色を施す微小な網点１８の単位面積当たりの密度を下方に向けて漸次減少させる方法や、図４（ｂ）に示すように、採光窓１４の表面に彩色を施す横縞模様(ボーダー柄)２０の太さを下方に向けて細くすると共に、その間隔を下方に向けて広げるようにする方法、更には、図４(ｃ)に示すように、採光窓１４の表面に光を散乱させる凸状又は凹状のシボ２２を形成し、このシボ２２の単位面積当たりの密度を下方に向けて漸次減少させる方法などで構成される。
【００１９】
ここで、図１〜図３に示す実施形態では、上記の図４（ａ）で示すように、採光窓１４の表面に彩色を施す微小な網点１８の単位面積当たりの密度を下方に向けて漸次減少させる方法でグラデーション部１６を形成しているが、その際、図３に示すように、透明なフィルム１６ａの表面に網点１８を印刷したものを窓板１４ａの表面(片面)に貼着する手法を採用している。このように透明なフィルム１６ａに網点１８を印刷してグラデーション部１６を形成したものを貼着する手法では、例えば、網点１８を印刷した透明フィルム１６ａを採光窓１４のサイズに合わせてカットして使用できると言ったように、グラデーション部１６を効率的に作製することができる。勿論、採光窓１４の窓板１４ａに網点１８を直接印刷するようにしてもよい。なお、これらの点については、上述した横縞模様２０でグラデーション部１６を形成する方法やシボ２２でグラデーション部１６を形成する方法についても同様である。
【００２０】
また、上記シボ２２を形成する方法については、金型を用いる方法やサンドブラストを用いる方法など公知の方法を用いることができる。
【００２１】
以上のように構成されたアウトセット型ドアパネル１０によれば、ドア本体１２の上下方向略全長に亘って採光窓１４が設けられているので、室内を明るくできるのみならず、ドア本体１２をはさんで反対側の人の有無などを確認できて安全性にも優れたものとなる。
そして、この採光窓１４の上端部から少なくとも垂れ壁Ｗの下端部ｗ１を越えた下方に亘ってグラデーション部１６が設けられているので、例えば図１のようにドアパネル１０を取り付けたアウトセット側から当該ドアパネル１０を看た場合、垂れ壁Ｗの下端ｗ１と開口部Ａとの境目がはっきりと視認できないように暈して、意匠上違和感を感じないようにさせることができる。
【００２２】
なお、上述の実施形態では、採光窓１４並びにこれに付設されるグラデーション部１６をドア本体１２の幅方向戸当たり側に１カ所だけ設ける場合を示したが、図５（ａ）に示すように、この採光窓１４等をドア本体１２の幅方向中央に設けるようにしてもよいし、図５（ｂ）に示すように、左右２カ所（複数カ所）設けるようにしてもよい。更には、上述の例では採光窓１４として比較的幅狭のスリット状のものを示したが、図５（ｃ）に示すように、この採光窓１４並びにこれに付設されるグラデーション部１６を太幅で形成するようにしてもよい。
【００２３】
また、上述の実施形態では、アウトセット型ドアパネル１０として引戸の例を示しているが、このアウトセット型ドアパネル１０は、開口部Ａ上部の垂れ壁Ｗを利用して取り付けられる、開口部Ａよりも大きな高さを有するドアパネルであれば如何なる態様であってもよく、例えば、折り戸や開き戸などであってもよい。
【符号の説明】
【００２４】
１０：アウトセット型ドアパネル，１２：ドア本体，１４：採光窓，１６：グラデーション部，１８：網点，２０：横縞模様，２２：シボ，Ａ：開口部，Ｗ：垂れ壁，ｗ１：(垂れ壁の) 下端部。
【図１】
0006025781.tif 000002
【図２】
0006025781.tif 000003
【図３】
0006025781.tif 000004
【図４】
0006025781.tif 000005
【図５】
0006025781.tif 000006